(57)【要約】      （修正有）【課題】安価な水道水を改質することで水タンクの買い替えを省略し、しかもオフィス・店頭・家庭のいずれにも兼用して使用できる低コストの貯水式ウォーターディスペンサー兼用水改質装置を提供する。【解決手段】上部に蓋２ｂを備えた卓上型の水タンク２の側面に水栓蛇口３を設け、水タンク２の内底に天然鉱石及びセラミックス材の粉又は粒を濾過するフィルターを敷設し、水タンク２の底面に吐水口を開口し、吐水口に底蓋を備えた吐水管を接続し、水タンク２内に水道水をミネラルウォーターに改質する麦飯石７ａ・天寿石７ｂ・トルマリン石７ｃを収容する。水タンク２の底部には水タンク２を所定高さに設置する受台６を分離可能に設けるか、又は水タンク２を所定高さに設置する脚部材を格納可能に設ける。【選択図】図３
0003138526.tif 000002
【実用新案登録請求の範囲】
【請求項１】
上部に蓋を備えた卓上型の水タンクの側面に水栓蛇口を設け、水タンクの底面に吐水口を開口し、同吐水口に底蓋を備えた吐水管を接続し、水タンク内に麦飯石・天寿石又はトルマリン石等の水改質機能のある天然鉱石又はその天然鉱石粉を焼結したセラミックス材を収納した、貯水式ウォーターディスペンサー兼用水改質装置。
【請求項２】
水タンクを所定高さに設置する受台を分離可能に設けるか、又は水タンクを所定高さに設置する脚部材を格納可能に設けた、請求項１記載の貯水式ウォーターディスペンサー兼用水改質装置。
【請求項３】
底面が平坦な水タンクにおいて、底蓋を備えた吐水管を水タンクの吐水口に対して脱着自在とし、しかも前記吐水口を閉塞する別の底蓋を備えた、請求項１又は２記載の貯水式ウォーターディスペンサー兼用水改質装置。
【考案の詳細な説明】
【技術分野】
【０００１】
本考案は、主として水道水を改質する貯水式ウォーターディスペンサー兼用水改質装置に関する。
【背景技術】
【０００２】
従来、ミネラルウォーター等の飲料水を提供するウォーターディスペンサーが特許文献１に開示されている。この技術は、水栓蛇口を備えたウォーターディスペンサー本体の上部に水タンク（ガロンボトルともいう）を脱着自在に配置し、水タンク内の飲料水がウォーターディスペンサー本体内に常時給水され、使用時に水栓蛇口を開放してコップ等に吐水できるようにしている。
【０００３】
ところで、前記技術は飲料水が無くなると水タンクごと新たに買い求める必要があり、面倒で不経済であった。また、水道水を浄水する浄水器も普及しているが、水道水がフィルターを通過する時間が極めて短いため、カルキ臭や塩素は除去され難く、ミネラル成分の溶出も少なく、改質は不十分であった。
【特許文献１】実用新案登録第３１２８６１２号公報
【考案の開示】
【考案が解決しようとする課題】
【０００４】
本考案が解決しようとする課題は、従来のこれらの問題点を解消し、安価な水道水を改質することで水タンクの買い替えを省略し、しかもオフィス・店頭・家庭のいずれにも兼用して使用できる低コストの貯水式ウォーターディスペンサー兼用水改質装置を提供することにある。
【課題を解決するための手段】
【０００５】
かかる課題を解決した本考案の構成は、
１）  上部に蓋を備えた卓上型の水タンクの側面に水栓蛇口を設け、水タンクの底面に吐水口を開口し、同吐水口に底蓋を備えた吐水管を接続し、水タンク内に麦飯石・天寿石又はトルマリン石等の水改質機能のある天然鉱石又はその天然鉱石粉を焼結したセラミックス材を収納した、貯水式ウォーターディスペンサー兼用水改質装置
２）  水タンクを所定高さに設置する受台を分離可能に設けるか、又は水タンクを所定高さに設置する脚部材を格納可能に設けた、前記１）記載の貯水式ウォーターディスペンサー兼用水改質装置
３）  底面が平坦な水タンクにおいて、底蓋を備えた吐水管を水タンクの吐水口に対して脱着自在とし、しかも前記吐水口を閉塞する別の底蓋を備えた、前記１）又は２）記載の貯水式ウォーターディスペンサー兼用水改質装置
にある。
【考案の効果】
【０００６】
本考案によれば、水タンクに水道水を貯水して一定時間経過すると、天然鉱石又はセラミックス材が水道水をミネラル成分を有する飲料水に改質する。したがって、水タンクを買い替えることなく安価な水道水を使用して飲料水を生成でき、手間を軽減できるとともに経済的となる。また、水に天然鉱石又はセラミックス材を数時間浸けるから、浄水器と比較してミネラル成分が抽出され、しかも天然鉱石又はセラミックス材は恒久的に使用できる。
【０００７】
オフィスや店頭、家庭のいずれで使用する場合も、第一に、水栓蛇口を備えた従来のウォーターディスペンサー本体の上部に吐水管から蓋を外した水タンクを配置し、使用時に水栓蛇口を開放して吐水することで、冷水・温水・常温水を提供できる。第二に、吐水管を蓋で閉塞して受台又は脚部材でテーブル等に直接置き、使用時に水タンクの側面の水栓蛇口を開放して吐水することで常温水を提供する。このように、本考案により従来のウォーターディスペンサーに取り付ける方法と、コンパクトな簡易ウォーターディスペンサーとして便利に使用できる２つの方法ができる。
【考案を実施するための最良の形態】
【０００８】
本考案では、麦飯石，天寿石，トルマリン石等の水改質機能のある天然鉱石、又はそれらの天然鉱石粉を焼結したセラミックス材を粒状又は塊状に形成したものが用いられ、半日程度で水道水をミネラルウォーターに改質できる。使用量としては水１Ｌ当り５００ｇ〜１ｋｇで十分である。水栓蛇口は水タンクの側面に複数設けて複数人が同時に吐水できるようにしてもよい。水タンクの内面には酸化チタン及び銀イオンなどの被膜を形成して細菌の発生を抑止できるようにしてもよい。底面が平坦な水タンクにおいて、底蓋を備えた吐水管を水タンクの吐水口に対して脱着自在とし、しかも前記吐水口を閉塞する別の底蓋を備えると、吐水管を吐水口から取り外し、別の底蓋を吐水口に取り付けて閉塞することで、受台や脚部材を使用することなく水タンクをテーブル等に直置きできるようになる。以下、本考案の実施例を図面に基づいて具体的に説明する。
【実施例１】
【０００９】
図１は実施例の貯水式ウォーターディスペンサー兼用水改質装置の正面図、図２，３は実施例の貯水式ウォーターディスペンサー兼用水改質装置の使用状態を示す説明図である。図中、１は貯水式ウォーターディスペンサー兼用水改質装置、２は水タンク、２ａは取っ手、２ｂは蓋、２ｃはフィルター、３は水栓蛇口、４は吐水口、４ａは吐水管、５を底蓋、６は受台、７ａは麦飯石、７ｂは天寿石、７ｃはトルマリン石、８はウォーターディスペンサー本体、９は水栓蛇口、１０は貯水タンク、Ｗは飲料水である。
【００１０】
本実施例の貯水式ウォーターディスペンサー兼用水改質装置１は、図１に示すように水タンク２が幅２８０ｍｍ、高さ３００〜３８０ｍｍ、容量１２〜１９Ｌの透明のポリカーボネート製で、その内底には天然鉱石及びセラミックス材の粉又は粒を濾過するフィルター２ｃを敷設し、側面には水栓蛇口３を取り付け、水タンク２の底面に吐水口４を開口し、吐水口４に底蓋５を備えた吐水管４ａを接続している。水タンク２内には５〜３０ｍｍの粒状又は塊状に形成した麦飯石７ａ・天寿石７ｂ・トルマリン石７ｃを６〜１２ｋｇ収納し、水タンク２の底部には底蓋５が接触しない高さに設置する受台６を分離可能に設けている。
【００１１】
本実施例では、水タンク２に水道水を貯水し、数時間程度貯水させると麦飯石７ａと天寿石７ｂとトルマリン石７ｃからミネラル成分が溶出し、水道水をミネラルウォーターに改質する。オフィスや店頭・家庭のいずれで使用する場合も、図２に示すように従来のウォーターディスペンサー本体８の上部に吐水管４ａから底蓋５を外した水タンク２を配置して貯水タンク１０に給水する。水タンク２の水栓蛇口３からは常温のミネラル成分を含んだ飲料水Ｗが吐水され、ウォーターディスペンサー本体８の右側の水栓蛇口９からは加温されたミネラル成分を含んだ飲料水Ｗが吐水され、左側の水栓蛇口９からは冷却されたミネラル成分を含んだ飲料水Ｗが吐水され、従業員や顧客に供する。又、図３に示すように吐水管４ａを底蓋５で閉塞してテーブル等に受台６を介して置き、使用時に側面の水栓蛇口３を開放してコップ等に吐水する。
【００１２】
図４に示すのは、水タンクを所定高さに設置する脚部材を格納可能に設けた実施例の貯水式ウォーターディスペンサー兼用水改質装置の他の例である。図４は実施例の他の例の貯水式ウォーターディスペンサー兼用水改質装置の正面図である。図中、１１は土台、１２は脚部材である。
【００１３】
図４に示す実施例の他の例では、受台６に代えて水タンク２の底部に土台１１を分離可能に設け、土台１１に３体の脚部材１２を格納可能に設けている。オフィスや店頭・家庭のいずれで使用する場合も、水タンク２を土台１１から外してウォーターディスペンサー本体８に設置して使用することができ、又、脚部材１２を展開して土台１１をテーブル等に配置し、土台１１上に水タンク２を設置して使用することもできる。その他、符号、構成、作用効果は実施例と同じである。
【００１４】
図５に示すのは、底面が平坦な水タンクにおいて、底蓋を備えた吐水管を水タンクの吐水口に対して脱着自在とし、しかも前記吐水口を閉塞する別の底蓋を備えた実施例の貯水式ウォーターディスペンサー兼用水改質装置の他の例である。図５は実施例の他の例の貯水式ウォーターディスペンサー兼用水改質装置の使用状態を示す説明図である。図中、１３は底蓋である。
【００１５】
図５に示す実施例の他の例では、吐水管４ａを吐水口４から取り外し、別の底蓋１３を吐水口４に取り付けて閉塞することで、図３，４に示すような受台６や脚部材１２を使用することなく水タンク２をテーブル等に直置きできる。その他、符号、構成、作用効果は実施例と同じである。
【産業上の利用可能性】
【００１６】
本考案の貯水式ウォーターディスペンサー兼用水改質装置は、オフィス・店頭・家庭で利用される。
【図面の簡単な説明】
【００１７】
【図１】実施例の貯水式ウォーターディスペンサー兼用水改質装置の正面図である。
【図２】実施例の貯水式ウォーターディスペンサー兼用水改質装置の使用状態を示す説明図である。
【図３】実施例の貯水式ウォーターディスペンサー兼用水改質装置の使用状態を示す説明図である。
【図４】実施例の他の例の貯水式ウォーターディスペンサー兼用水改質装置の正面図である。
【図５】実施例の他の例の貯水式ウォーターディスペンサー兼用水改質装置の使用状態を示す説明図である。
【符号の説明】
【００１８】
１  貯水式ウォーターディスペンサー兼用水改質装置
２  水タンク
２ａ  取っ手
２ｂ  蓋
２ｃ  フィルター
３  水栓蛇口
４  吐水口
４ａ  吐水管
５  底蓋
６  受台
７ａ  麦飯石
７ｂ  天寿石
７ｃ  トルマリン石
８  ウォーターディスペンサー本体
９  水栓蛇口
１０  貯水タンク
１１  土台
１２  脚部材
１３  底蓋
Ｗ  飲料水
【図１】
0003138526.tif 000003
【図２】
0003138526.tif 000004
【図３】
0003138526.tif 000005
【図４】
0003138526.tif 000006
【図５】
0003138526.tif 000007